(57)【要約】【課題】上顎模型を水平移動及び鉛直軸心回転させて簡便に咬合状態を調整し、更に移動前の位置から移動後の位置までの距離的及び角度的な移動様相を容易に把握及び検出することができるモデルサージェリー用マウンティングデバイスを提供する。【解決手段】短円柱状ベース部材と、上顎模型を固定可能な突起面を有する模型固定円板と、模型固定円板と短円柱状ベース部材との間に選択的に取外自在に配設可能なスペーサ円板と、第一ロケータと、第二ロケータと、を具備するモデルサージェリー用マウンティングデバイスであって、短円柱状ベース部材に対する模型固定円板の傾斜角度によって、上顎模型の傾きを検出し、第一ロケータと第二ロケータとの対向面の接触部を鉛直軸心廻り及び水平方向に移動させて相互の距離及び鉛直軸角の移動様相を検出しつつ、上顎模型の位置決めを行う。【選択図】図１
2018078962.tif 000002
【特許請求の範囲】
【請求項１】
咬合器を用いて実際の咬合状態に合された上顎模型を正しい噛合状態にして保持するモデルサージェリー用マウンティングデバイスであって、
短円柱状ベース部材と、上顎模型を固定可能な突起面を有する模型固定円板と、該模型固定円板と短円柱状ベース部材との間に選択的に取外自在に配設可能なスペーサ円板と、第一ロケータと、第二ロケータと、を具備し、
前記短円柱状ベース部材の上顎模型側と、前記スペーサ円板の上顎模型側と、前記第二ロケータの上顎模型側と、が夫々磁石面部を面一状に有し、
前記模型固定円板の咬合器側と、前記スペーサ円板の咬合器側と、に鉄板を有し、更に前記第二ロケータの咬合器側に金属製板状部材を有し、
前記短円柱状ベース部材と、スペーサ円板と、模型固定円板と、が夫々の側面に所定のピッチを示したずれ検出用の目盛りを有し、
前記第一ロケータと、第二ロケータと、の夫々の対向面に所定のピッチを示した方眼目盛りを有し、
咬合器側から上顎模型側に、前記短円柱状ベース部材、第一ロケータ、第二ロケータ、スペーサ円板、介装材、模型固定円板、の順に積層して組み合わせ、
前記短円柱状ベース部材に対する前記模型固定円板の傾斜角度によって、前記上顎模型の傾きを検出し、
更に前記第一ロケータと、第二ロケータと、における夫々の対向面の接触部を鉛直軸心廻り及び水平方向に移動させて相互の距離及び鉛直軸角の移動様相を検出しつつ、前記上顎模型の位置決めを行う構成を備えること、
を特徴とするモデルサージェリー用マウンティングデバイス。
【請求項２】
前記短円柱状ベース部材が、上顎模型側に対向する面に位置決め用の第一嵌合凹部を有し、
前記第一ロケータが、咬合器側に配する面に前記第一嵌合凹部に嵌合可能な位置決め用の第一嵌合凸部を有し、
前記第二ロケータが、上顎模型側に対向する面に位置決め用の第二嵌合凹部を有し、
前記スペーサ円板が、咬合器側に対向する面に前記第二嵌合凹部に嵌合可能な位置決め用の第二嵌合凸部を有すると共に、その上顎模型側に対向する面に位置決め用の第三嵌合凹部を有し、
前記模型固定円板が、咬合器側に対向する面に前記第三嵌合凹部に嵌合可能な位置決め用の第三嵌合凸部を有すること、
を特徴とする請求項１に記載のモデルサージェリー用マウンティングデバイス。
【請求項３】
前記金属製板状部材が前記第二ロケータと略相似形かつ所定の大きさに形成されること、
を特徴とする請求項１又は２に記載のモデルサージェリー用マウンティングデバイス。
【請求項４】
前記第一ロケータと、前記第二ロケータと、の厚さが異なること、
を特徴とする請求項１〜３のいずれかに記載のモデルサージェリー用マウンティングデバイス。
【請求項５】
前記第一ロケータが、略四角形の平面形状を有し、最短の辺長が前記短円柱状ベース部材の直径と略同寸法以上であること、
を特徴とする請求項１〜４のいずれかに記載のモデルサージェリー用マウンティングデバイス。
【請求項６】
前記第二ロケータが、略四角形の平面形状を有し、最短の辺長が前記模型固定円板の直径と略同寸法以上であること、
を特徴とする請求項１〜５のいずれかに記載のモデルサージェリー用マウンティングデバイス。
【発明の詳細な説明】
【技術分野】
【０００１】
本発明は、咬合器で実際の噛合状態に合わせた上顎模型を、外科的矯正の治療目標に調整して、ずれ・傾きを検出する外科矯正用のマウンティングデバイスに関する。
【背景技術】
【０００２】
従来の咬合器用モデルは、咬合器の固定用フレームと基台との間で、石膏を硬化させて、上・下顎模型を咬合した状態に固定するものが知られている（例えば、特許文献１参照）。また、咬合器の固定用フレームと基台との間に介在させたスプリットキャスト（上・下顎模型と、咬合器の固定用フレームで支持した石膏部と、が必要に応じて容易に分割及び復位できるよう載置させた石膏製の分離層）を用いて上・下顎模型の位置決めを行っていた。
【０００３】
更に、あらかじめ層状にカットした樹脂プレートを磁力で積層し、該プレート間に塑性変形後固化する介装材を介在させることで、一旦上・下顎模型の噛合状態を固定した後でも介装材を容易に取り替えて噛合状態の再調整が行え、上下顎模型のずれ及び傾きを検出する咬合器用モデルが一部で用いられている（例えば、特許文献２参照）。
【先行技術文献】
【特許文献】
【０００４】
【特許文献１】特開平８ − １ ０ ７ ９ ０ ６ 号公報
【特許文献２】特開２００５−２７８７７２号公報
【発明の概要】
【発明が解決しようとする課題】
【０００５】
しかしながら、特許文献１の咬合器用モデルは、上下顎模型を一旦石膏で固定して位置決めした後に噛合状態の修正及び再調整を行う場合には、石膏の切断又は破壊によって抜去する必要があり、多くの手間が必要となった。また、スプリットキャストを用いた場合は、移動様式を簡便化することはできるが、石膏で構成されたスプリットキャストは強度的な問題から２枚程度の介在が限界となり、複雑な移動を要する調整ができず、またモデルサージェリーの再現性を低下してしまう問題があった。
【０００６】
また、特許文献２の咬合器用モデルは、固化した介装材を取り替えて咬合状態の再調整と、傾きの検出と、を可能とするものであるが、上顎模型を水平方向に移動させ、詳細な位置決めを容易に行うことはできなかった。
【０００７】
ここで、従来における咬合器モデルの構造に着目すると、該咬合器モデルを構成する複数枚の樹脂プレートは、主として介装材の取外しを意図したものであり、夫々の樹脂プレートを任意に水平移動させることができないのは明らかであって、未だ改善の余地があった。
【０００８】
そこで、本発明は、上記問題に鑑み、上顎模型を水平移動及び鉛直軸心回転させて簡便に咬合状態を調整し、更に移動前の位置から移動後の位置までの距離的及び角度的な移動様相を容易に把握及び検出することができるモデルサージェリー用マウンティングデバイスを提供することを目的とする。
【課題を解決するための手段】
【０００９】
上記の課題を解決すべく、本発明は
咬合器を用いて実際の咬合状態に合された上顎模型を正しい噛合状態にして保持するモデルサージェリー用マウンティングデバイスであって、
短円柱状ベース部材と、上顎模型を固定可能な突起面を有する模型固定円板と、該模型固定円板と短円柱状ベース部材との間に選択的に取外自在に配設可能なスペーサ円板と、第一ロケータと、第二ロケータと、を具備し、
前記短円柱状ベース部材の上顎模型側と、前記スペーサ円板の上顎模型側と、前記第二ロケータの上顎模型側と、が夫々磁石面部を面一状に有し、
前記模型固定円板の咬合器側と、前記スペーサ円板の咬合器側と、に鉄板を有し、更に前記第二ロケータの咬合器側に金属製板状部材を有し、
前記短円柱状ベース部材と、スペーサ円板と、模型固定円板と、が夫々の側面に所定のピッチを示したずれ検出用の目盛りを有し、
前記第一ロケータと、第二ロケータと、の夫々の対向面に所定のピッチを示した方眼目盛りを有し、
咬合器側から上顎模型側に、前記短円柱状ベース部材、第一ロケータ、第二ロケータ、スペーサ円板、介装材、模型固定円板、の順に積層して組み合わせ、
前記短円柱状ベース部材に対する前記模型固定円板の傾斜角度によって、前記上顎模型の傾きを検出し、
更に前記第一ロケータと、第二ロケータと、における夫々の対向面の接触部を鉛直軸心廻り及び水平方向に移動させて相互の距離及び鉛直軸角の移動様相を検出しつつ、前記上顎模型の位置決めを行う構成を備えること、
を特徴とするモデルサージェリー用マウンティングデバイス、
を提供する。
【００１０】
このような構成を有する本発明のモデルサージェリー用マウンティングデバイスでは、
第一ロケータと、第二ロケータと、における双方の対向面を摺動させることにより、水平方向の移動及び鉛直軸心回転を行うことができる。これにより、第二ロケータの下方で組み合わされた模型固定円板及び該模型固定円板に支持された上顎模型は、当該水平移動及び鉛直軸心回転に従わせて、水平方向の位置調整を簡便に行うことがでる。
また、第一ロケータ及び第二ロケータの上面及び裏面に備えた方眼目盛りを用いることにより、移動前の位置から移動後の位置までの距離的及び角度的な移動様相を容易に把握及び検出することができる。
更に、第一ロケータ及び第二ロケータは、ディスポーザブルとしてもよく、再移動させることにより、何度でも繰り返し試行して補正を追加することができ、噛合状態の調整作業が容易になると共に、精度も上昇するので、外科的矯正治療シミュレーションの向上を図り得る。
【００１１】
また、上記の本発明のモデルサージェリー用マウンティングデバイスにおいては、
前記短円柱状ベース部が、上顎模型側に対向する面に位置決め用の第一嵌合凹部を有し、
前記第一ロケータが、咬合器側に配する面に前記第一嵌合凹部に嵌合可能な位置決め用の第一嵌合凸部を有し、
前記第二ロケータが、上顎模型側に対向する面に位置決め用の第二嵌合凹部を有し、
前記スペーサ円板が、咬合器側に対向する面に前記第二嵌合凹部に嵌合可能な位置決め用の第二嵌合凸部を有すると共に、その上顎模型側に対向する面に位置決め用の第三嵌合凹部を有し、
前記模型固定円板が、咬合器側に対向する面に前記第三嵌合凹部に嵌合可能な位置決め用の第三嵌合凸部を有することが望ましい。
【００１２】
このような構成を有する本発明のモデルサージェリー用マウンティングデバイスでは、第一ロケータと、第二ロケータと、における夫々の対向面の当接部のみが摺動可能となり、短円柱状ベース部材と第一ロケータとの当接部と、第二ロケータとスペーサ円板との当接部と、スペーサ円板と模型固定円板との当接部と、は夫々に備えられた嵌合凹部及び凸部の嵌合により、それぞれの当接部に所定の固定力を有することができる。
このため、第一ロケータと、第二ロケータと、の当接部のみが摺動して容易に水平方向の位置調整を行うことができる。
【００１３】
また、上記の本発明のモデルサージェリー用マウンティングデバイスにおいては、
前記金属製板状部材が前記第二ロケータと略相似形かつ所定の大きさに形成されることが望ましい。
【００１４】
このような構成を有する本発明のモデルサージェリー用マウンティングデバイスでは、第一ロケータと第二ロケータとの移動可能範囲と、金属製板状部材と短円柱状ベース部材が備えた磁石面部とが吸着効果を維持しつつ移動可能な範囲と、が略同一であるため、当該第一ロケータ及び第二ロケータの移動可能範囲（移動可能な範囲形状を含む）を任意に設定することができる。
【００１５】
また、上記の本発明のモデルサージェリー用マウンティングデバイスにおいては、前記第一ロケータと、前記第二ロケータと、の厚さが異なること（例えば、前記第一ロケータが、前記第二ロケータと比して板厚が薄く形成されること）が望ましい。
【００１６】
また、上記の本発明のモデルサージェリー用マウンティングデバイスにおいては、前記第一ロケータが、略四角形の平面形状を有し、最短の辺長が前記短円柱状ベース部材の直径と略同寸法以上であることが望ましい。
【００１７】
また、上記の本発明のモデルサージェリー用マウンティングデバイスにおいては、更に、前記第二ロケータが、略四角形の平面形状を有し、最短の辺長が前記模型固定円板の直径と略同寸法以上であることが望ましい。
【００１８】
このような構成を有する本発明のモデルサージェリー用マウンティングデバイスでは、第一ロケータが薄く形成されることにより、短円柱状ベース部材が備えた磁石面部と第二ロケータが上面に備えた金属製板状部材との距離が接近し、第一ロケータと第二ロケータとの吸着を高めることができる。
また、第一ロケータ（第二ロケータ）の最短の辺長が短円柱状ベース部材（模型固定円板）の直径と同寸法以上に構成されることにより、第一ロケータ及び第二ロケータが具備する方眼目盛りを容易に目視することができる。
【図面の簡単な説明】
【００１９】
【図１】本実施形態のモデルサージェリング用マウンティングデバイス１００の構成を説明する模式図である。
【図２】図１に示す短円柱状ベース部材１の構造を第三角法で示した図面であって、図２（ａ）は、短円柱状ベース部材１の底面図であり、図２（ｂ）は、短円柱状ベース部材１の側面図であり、図２（ｃ）は、短円柱状ベース部材１の上面図である。
【図３】図１に示す模型固定円板３の構造を第三角法で示した図面であって、図３（ａ）は、模型固定円板３の底面図であり、図３（ｂ）は、模型固定円板３の側面図であり、図３（ｃ）は、模型固定円板３の上面図である。
【図４】図１に示すスペーサ円板５の構造を第三角法で示した図面であって、図４（ａ）は、スペーサ円板５の底面図であり、図４（ｂ）は、スペーサ円板５の側面図であり、図４（ｃ）は、スペーサ円板５の上面図である。
【図５】図１に示す第一ロケータ７の構造を第三角法で示した図面であって、図５（ａ）は、第一ロケータ７の底面図であり、図５（ｂ）は、第一ロケータ７の側面図であり、図５（ｃ）は、第一ロケータ７の上面図である。
【図６】図１に示す第二ロケータ９の構造を第三角法で示した図面であって、図６（ａ）は、第二ロケータ９の底面図であり、図６（ｂ）は、第二ロケータ９の側面図であり、図６（ｃ）は、第二ロケータ９の上面図である。
【図７】本実施形態のモデルサージェリング用マウンティングデバイス１００を用いて咬合状態を調整する状態を示した模式図である。
【図８】図１に示すスペーサ円板５に対する模型固定円板３の傾斜角θを示した側面図である。
【図９】本実施形態のモデルサージェリングデバイスを用いた上顎模型４１の水平移動を示す模式図である。
【図１０】図１に示す第一ロケータ７及び第二ロケータ９の移動様相を検出する状態を示した模式図である。
【発明を実施するための形態】
【００２０】
以下、本発明に係るモデルサージェリー用マウンティングデバイス１００の代表的な実施形態について、図１〜図１０を参照しながら詳細に説明するが、本発明は図示されるものに限られないことはいうまでもない。また、各図面は本発明を概念的に説明するためのものであるから、理解容易のために、必要に応じて寸法、比又は数を誇張又は簡略化して表している場合もある。更に、以下の説明では、同一又は相当部分には同一符号を付し、重複する説明は省略することもある。
【００２１】
１．モデルサージェリング用マウンティングデバイス１００の構成
＜モデルサージェリー用マウンティングデバイス１００の概要＞
本実施形態のモデルサージェリング用マウンティングデバイス１００は、咬合器で実際の咬合状態に合せた上・下顎模型のうち、上顎模型を外科的矯正の治療目標に調整して、ずれ・傾きを検出し、更に適正な位置決めを行うものである。
【００２２】
図１を用いて、本実施形態のモデルサージェリング用マウンティングデバイス１００の構成について説明する。図１は、本実施形態のモデルサージェリング用マウンティングデバイス１００の構成を説明する模式図である。
図１に示すとおり、本実施形態のモデルサージェリング用マウンティングデバイス１００は、概ね咬合器３９が備える固定用フレーム（上顎支持部等）に接続し、本モデルサージェリング用マウンティングデバイス１００の土台部品となる短円柱状ベース部材１と、上顎模型４１の上方で例えば石膏やしっくい等で構成された固定材４５を介して当該上顎模型４１を支持する模型固定円板３と、該模型固定円板３の上方に配設され、模型固定円板３との間に塑性変形後固化する介装材１１を挟んで固定するスペーサ円板５と、該スペーサ円板５と短円柱状ベース部材１との間で互いに摺動可能に配設される第一ロケータ７及び第二ロケータ９と、から構成されている。
【００２３】
本実施形態のモデルサージェリング用マウンティングデバイス１００は、主として上顎模型４１を支持し、咬合状態のずれ・傾きを検出し、適正な位置決めを行うものとして記載しているが、咬合器３９が備える他の固定用フレーム又は基台に接続すれば、下顎模型４２に対しても略同ように使用することができ、必ずしも上顎模型４１のみに特化したデバイスではない。
【００２４】
＜短円柱状ベース部材１の構造＞
次に、図２（ａ）（ｂ）（ｃ）を用いて短円柱状ベース部材１の構造について詳細に説明する。図２（ａ）（ｂ）（ｃ）は、短円柱状ベース部材１の構造を第三角法で示した図面であって、図２（ａ）は、短円柱状ベース部材１の底面図であり、図２（ｂ）は、短円柱状ベース部材１の側面図であり、図２（ｃ）は、短円柱状ベース部材１の上面図である。
【００２５】
図２（ａ）（ｂ）（ｃ）に示すように、短円柱状ベース部材１は略円柱状であり、例えば必ずしも磁力を遮断しない樹脂等を用いて形成されることが好ましい。また、短円柱状ベース部材１、模型固定円板３、スペーサ円板５、第一ロケータ７、第二ロケータ９は同じ材料で形成することが好ましい。図２（ａ）に示すように、短円柱状ベース部材１の裏面には、後述するが、第一ロケータ７が備える第一嵌合凸部１９と嵌合させるための第一嵌合凹部１７が備わっており、第一嵌合凹部１７は逆略半円状及び逆略三角錐状の２種の凹部（即ち、略半円状及び略三角錐状にへこんでいる凹部）を夫々２個ずつ所定の位置に配設して構成されている。
【００２６】
また、短円柱状ベース部材１の裏面中央には、磁石を埋設して構成した磁石面部３１が面一状に構成されており、第一ロケータ７を介しつつ鉄板２９を備える第二ロケータ９を吸引する。なお、第二ロケータ９は後述にて説明する。
【００２７】
図２（ｂ）に示すように、短円柱状ベース部材１の側面には、鉛直方向（短円柱状ベース部材１の高さ方向）に等間隔で刻まれたずれ検出用の目盛り３５が設けられており、更に、鉛直方向（短円柱状ベース部材１の高さ方向）に短円柱状ベース部材１の鉛直軸を中心にして９０度毎に刻まれた検出用印３７が設けられている。検出用印３７は目盛り３５より目視容易なように若干太く形成されている。目盛り３５は、模型固定円板３及びスペーサ円板５の側面、検出用印３７は、模型固定円板３と、スペーサ円板５と、第一ロケータ７と、第二ロケータ９と、の側面にも同様に設けられている。これにより、位置決めの調整及びずれ・傾きの検出時に、夫々が備える目盛り３５及び検出用印３７の相互の位置関係から上顎模型４１の移動様相を読み取ることができる。
【００２８】
また、検出用印３７は、本実施形態のモデルサージェリング用マウンティングデバイス１００を構成する各部の相互の組合せを適切な初期位置（治療目標となる咬合位置の調節前）に配置できるよう補助する役割も担っており、具体的には短円柱状ベース部材１と、模型固定円板３と、第一ロケータ７と、第二ロケータ９と、における各部の検出用印３７を直線的に縦列させることで簡便に達成することができる。
【００２９】
図２（ｃ）に示すように、短円柱状ベース部材１の上面には、所定の位置（使用する咬合器３９の固定用フレームに設けられたネジ等の固定位置）に内面にタップを有したネジ孔４７が設けられており、咬合器３９の固定用フレームとの接続に用いることができる。
【００３０】
＜模型固定円板３の構造＞
次に、図３（ａ）（ｂ）（ｃ）を用いて模型固定円板３の構造について詳細に説明する。図３（ａ）（ｂ）（ｃ）は、模型固定円板３の構造を第三角法で示した図面であって、図３（ａ）は、模型固定円板３の底面図であり、図３（ｂ）は、模型固定円板３の側面図であり、図３（ｃ）は、模型固定円板３の上面図である。
【００３１】
図３（ａ）（ｂ）（ｃ）に示すように、模型固定円板３は短円柱状ベース部材１と同一円形状に構成されている。図３（ａ）に示すように、模型固定円板３の裏面には、複数列の帯状突起部４３が等間隔に形成されており、中心部にはこの帯状突起部４３に略垂直に帯状突起部４３ａが形成されている。これにより、固定材４５の剥離及び滑りを好適に防止して確実に固定することができる。なお、帯状突起４３の端部を、長手方向に対して略垂直に切断した場合にみえる横断面において、上顎模型４１側に向って先細くなるテーパ状に形成すれば、固定材４５をより強固に固定することができる。
【００３２】
図３（ｃ）に示すように、模型固定円板３の上面には、後述するスペーサ円板７が備えた第三嵌合凹部２５と嵌合させるための第三嵌合凸部２７が備わっており、この第三嵌合凸部２７は、略半円状及び略三角錐状の２種の凸部（即ち、略半円状及び略三角錐状に膨らんだ凸部）を夫々２個ずつ所定の位置に配設して構成されている。
【００３３】
この模型固定円板３の上面中央には、金属製板状部材２９が面一状に配置されており、後述するスペーサ円板５の裏面に備えられた磁石面部３１に吸着されるように構成されている。また、模型固定円板３の側面には、上述したとおり目盛り３５及び検出用印３７が備わっている。
【００３４】
＜スペーサ円板５の構造＞
次に、図４（ａ）（ｂ）（ｃ）を用いてスペーサ円板５の構造について詳細に説明する。図４（ａ）（ｂ）（ｃ）は、スペーサ円板５の構造を第三角法で示した図面であって、図４（ａ）は、スペーサ円板５の底面図であり、図４（ｂ）は、スペーサ円板５の側面図であり、図４（ｃ）は、スペーサ円板５の上面図である。
【００３５】
図４（ａ）（ｂ）（ｃ）に示すように、スペーサ円板５は短円柱状ベース部材１及び模型固定円板３と同一円形状に構成されている。図４（ａ）に示すように、スペーサ円板５の裏面には、模型固定円板３が備えた第三嵌合凸部２７と嵌合させるための第三嵌合凹部２５が備わっており、更に、図４（ｃ）に示すように、スペーサ円板５の上面には、後述する第二ロケータ９が備えた第二嵌合凹部２１と嵌合させるための第二嵌合凸部２３が備わっている。
【００３６】
なお、第三咬合凹部２５は、上述の短円柱状ベース部材１が備える第一嵌合凹部１７と同様（形状、数及び配置）に形成され、第二嵌合凸部２３は、上述の模型固定円板３が備える第三嵌合凸部２７と同様（形状、数及び配置）に形成されている。
【００３７】
図４（ａ）に示すように、スペーサ円板５の裏面中央には、磁石を埋設して構成した磁石面部３１が面一状に構成されており、模型固定円板３が上面に備える鉄板２９と吸着する。更に、図４（ｃ）に示すように、上面中央には、金属製板状部材２９が面一状に配置されており、後述する第二ロケータ９が裏面に備える磁石面部３１に吸着されるように構成されている。なお、スペーサ円板５の側面においても、上述したとおり目盛り３５及び検出用印３７が備わっている。
【００３８】
＜第一ロケータ７の構造＞
次に、図５（ａ）（ｂ）（ｃ）を用いて第一ロケータ７の構造について詳細に説明する。図５（ａ）（ｂ）（ｃ）は、第一ロケータ７の構造を第三角法で示した図面であって、図５（ａ）は、第一ロケータ７の底面図であり、図５（ｂ）は、第一ロケータ７の側面図であり、図５（ｃ）は、第一ロケータ７の上面図である。
【００３９】
図５（ａ）（ｂ）（ｃ）に示すように、第一ロケータ７は略正方形の板状部品であって、辺長が短円柱状ベース部材１の直径と略同寸法で形成することが好ましい。また、当該第一ロケータ７は後述する第二ロケータ９と同等の厚さを有していてもよいが、本実施形態においては、部品の順序や構成を手で触って判別できるように、第一ろけーた７は第二ロケータ９よりも薄く形成されている。
【００４０】
図５（ａ）に示すように、第一ロケータ７の裏面には、所定の間隔（例えば１ｍｍ間隔）で構成された方眼目盛り３３が備わっており、更に、図５（ｃ）に示すように、第一ロケータ７の上面には、短円柱状ベース部材１が備えた第一嵌合凹部１７と嵌合させるための第一嵌合凸部１９が備わっている。なお、第一咬合凸部１９は、上述の模型固定円板３が備える第三嵌合凸部２７と同様（形状、数及び配置）に形成されている。また、第一ロケータ７の側面には、上述したとおり検出用印３７が備わっている。
【００４１】
＜第二ロケータ９の構造＞
次に、図６（ａ）（ｂ）（ｃ）を用いて第二ロケータ９の構造について詳細に説明する。図６（ａ）（ｂ）（ｃ）は、第二ロケータ９の構造を第三角法で示した図面であって、図６（ａ）は、第二ロケータ９の底面図であり、図６（ｂ）は、第二ロケータ９の側面図であり、図６（ｃ）は、第二ロケータ９の上面図である。
【００４２】
図６（ａ）（ｂ）（ｃ）に示すように、第二ロケータ９は第一ロケータ７と同一正方形状に構成されている。図６（ａ）に示すように、第二ロケータ９の裏面には、スペーサ円板５が備えた第二嵌合凸部２３と嵌合させるための第二嵌合凹部２１が備わっており、更に、図６（ｃ）に示すように、第二ロケータ９の上面中央には、大判の鉄板からなる金属製板状部材４９が面一状に配置されており、第一ロケータ７を介しつつ磁石面部３１を備えた短円柱状ベース部材１に吸引されるように構成されている。
【００４３】
金属製板状部材４９は、第二ロケータ９の平面形状と略相似形で、かつ所定の大きさに形成することが好ましい。例えば、第一ロケータ７と第二ロケータ９との当接状態を変更して相互の配置位置を移動させる際、その移動可能範囲は、金属製板状部材４９と短円柱状ベース部材１が備えた磁石面部３１とが吸着効果を維持しつつ移動可能な範囲と略同一となる。このため、金属製板状部材４９の大きさは、第一ロケータ７と第二ロケータ９との移動可能範囲に応じて決定すればよい。また、第二ロケータ９の上面及び裏面には、所定の間隔（例えば１ｍｍ間隔で構成）で構成された方眼目盛り３３が備わっている。
【００４４】
なお、第一咬合凸部１９は、上述の模型固定円板３が備える第三嵌合凸部２７と同様（形状、数及び配置）に形成されている。また、第一ロケータ７の側面には、上述したとおり検出用印３７が備わっている。
【００４５】
２．モデルサージェリング用マウンティングデバイス１００の使用方法
＜構成部品の組み合わせ＞
次に、図１を用いて本実施形態におけるモデルサージェリング用マウンティングデバイス１００のセッティング（上述した構成部品の組合せ）について説明する。図１に示すとおり、上述した短円柱状ベース部材１と、模型固定円板３と、スペーサ円板５と、第一ロケータ７と、第二ロケータ９と、は咬合器３９の固定用フレームから下顎模型４２の間で所定の順に配置して組み合わされる。
【００４６】
構成部品の組み合わせ順は、咬合器３９側から短円柱状ベース部材１、第一ロケータ７、第二ロケータ９、スペーサ円板５、模型固定円板３の順となり、該模型固定円板３の裏面に設けられた帯状突起４３に固定材４５を介して上顎模型４１の上端を支持する。
【００４７】
各部品の具体的な嵌合方法を説明すると、咬合器３９と、短円柱状ベース部材１とは、咬合器３９が備えた上顎側の固定用フレームと、短円柱状ベース部材１が備えたネジ孔４７と、を用いて螺子嵌合により固定させる。
【００４８】
そして、短円柱状ベース部材１と、第一ロケータ７とは、短円柱状ベース部材１が裏面に備えた第一嵌合凹部１７を、第一ロケータ７が上面に備えた第一嵌合凸部１９と嵌合させつつ、第二ロケータ９の上面を第一ロケータ７の裏面と当接させる。更に、短円柱状ベース部材１の磁石面部３１に当該第二ロケータ９の金属製板状部材４９を吸引させて夫々を組み合わせる。
【００４９】
第二ロケータ９と、スペーサ円板５とは、第二ロケータ９が裏面に備える第二嵌合凹部２１を、スペーサ円板５が上面に備える第二嵌合凸部２３と嵌合させつつ、第二ロケータ９の磁石面部３１にスペーサ円板５が上面に備える金属製板状部材２９を吸着させて組み合わせる。
【００５０】
スペーサ円板５と、模型固定円板３とは、スペーサ円板５が裏面に備える第三嵌合凹部２５を、模型固定円板３が上面に備えた第三嵌合凸部２７と嵌合させつつ、スペーサ円板５の裏面に備えられた磁石面部３１により、模型固定円板３が上面に備える金属製板状部材２９を吸着させて組み合わせる。
【００５１】
なお、第一ロケータ７が第二ロケータ９より薄く形成されているため、短円柱状ベース部材１が備えた磁石面部３１と第二ロケータ９が上面に備えた金属製板状部材４９との距離が接近し、第一ロケータ７と第二ロケータ９との吸着を高めている。
【００５２】
模型固定円板３と、上顎模型４１とは、上顎模型４１が裏面に備えた帯状突起４３に石膏又はしっくい等で構成した固定材４５を把持させ、該固定材４５を上顎模型４１の上端と接着することで達成させる。
【００５３】
＜介装材１１の配設及び傾きの調整＞
続いて、図７を用いて本実施形態のモデルサージェリング用マウンティングデバイス１００による咬合状態の調整について説明する。図７は、本実施形態のモデルサージェリング用マウンティングデバイス１００を用いて咬合状態を調整する状態を示した模式図である。
【００５４】
まず、上顎模型４１と、下顎模型４３と、の咬合状態を鑑みて、該上顎模型４１の傾きを調節するために介装材１１の配設を行う。模型固定円板３をスペーサ円板５から離間させ、当該模型固定円板３の裏面と、スペーサ円板５の上面と、の間に介装材１１を挿入して配設した後、当該介装材１１を塑性変形させつつ上顎模型４１の位置を正しい咬合状態に調整し、固化させる。
【００５５】
あるいは、スペーサ円板５を取り外し、第二ロケータ９と、模型固定円板３と、の間に介在させない場合は、第二ロケータ９と、模型固定円板３と、の間に介装材１１を配設することになる。このように、第二ロケータ９に対する模型固定円板３の傾きが大きくなる場合は、スペーサ円板５を取り外し、傾きが小さい場合は、スペーサ円板５を介在させて調整を行うことが好ましい。
【００５６】
介装材１１の配設により上顎模型４１の傾きを補正した後、スペーサ円板５又は第二ロケータ９に対する模型固定用円板３の傾斜角度θを測定し、上顎模型４１の傾きを具体的に検出する（図８参照）。
【００５７】
次に、図９を用いて本実施形態のモデルサージェリング用マウンティングデバイス１００による上顎模型４１の水平方向の調整について説明する。図９は、本実施形態のモデルサージェリングデバイスを用いた上顎模型４１の水平移動を示す模式図である。
【００５８】
上述したように、本モデルサージェリング用マウンティングデバイス１００は、第一ロケータ７及び第二ロケータ９を備え、更に、第一ロケータ７と、第二ロケータ９と、は双方の対向面が互いに摺動可能に当接して磁力によって組み合わされていることから、当該第一ロケータ７と、第二ロケータ９と、を互いに摺動させることにより、水平方向の移動（具体的には左右移動Ｘ、前後移動Ｙ）及び鉛直軸心回転Ｒを行うことができる。即ち、第二ロケータ９の下方で組み合わされた模型固定円板３及び該模型固定円板３に支持（固定材４５を介在）された上顎模型４１は、左右移動Ｘ、前後移動Ｙ、及び鉛直軸心回転Ｒに従わせて、水平方向の位置調整を行うことがでる。
【００５９】
また、上述したとおり、第一ロケータ７及び第二ロケータ９は、上面及び裏面に所定のピッチで構成された方眼目盛り３３を備えているため、移動前の位置から移動後の位置までの距離的及び角度的な移動様相を容易に把握することができる。
【００６０】
具体的には、例えば上顎模型４１を前後移動Ｙさせる場合、第一ロケータ７の現在位置を基準として、上顎模型４１の支持側に配置された第二ロケータ９を前後移動Ｙさせることになり、第一ロケータ７と第二ロケータ９との当接位置が変更される。この際、第二ロケータ９の上面に設けられた方眼目盛り３３と、第一ロケータ７の端部との位置関係を、移動前後で確認することにより（下方から該移動様相を確認する場合は、第二ロケータ９の端部と、第一ロケータ７の裏面に設けられた方眼目盛り３３と、の移動距離Ｄを確認）、移動に要した距離的移動様相を具体的に検出することができる（図１０参照）。
【００６１】
なお、鉛直軸心回転Ｒを伴う移動時は、第一ロケータ７及び第二ロケータ９の方眼目盛り３３の他、構成部品（短円柱状ベース部材１、模型固定円板３、スペーサ円板５）の側面に設けられた目盛り３５を用いて移動様相を検出してもよい。
【００６２】
上述した第一ロケータ７と第二ロケータ９とによる水平方向の移動（具体的には左右移動Ｘ、前後移動Ｙ）及び鉛直軸心回転Ｒによって、簡便に上顎模型４１を所望の咬合状態に調整することができる。なお、上記２つのロケータはディスポーザブルとしてもよく、また、再移動させることにより、何度でも繰り返し試行して補正を追加することが可能である。
【産業上の利用可能性】
【００６３】
本発明のモデルサージェリー用マウンティングデバイスは、上顎模型を水平移動及び鉛直軸心回転させて簡便に咬合状態を調整し、更に移動前の位置から移動後の位置までの距離的及び角度的な移動様相を容易に把握及び検出することができる。また、何度でも繰り返し咬合状態を調整して補正を追加することができるため、精度を含めた外科的矯正治療シミュレーションの向上を図り得るものである。
【符号の説明】
【００６４】
１      短円柱状ベース部材
３      模型固定円板
５      スペーサ円板
７      第一ロケータ
９      第二ロケータ
１１    介装材
１７    第一嵌合凹部
１９    第一嵌合凸部
２１    第二嵌合凹部
２３    第二嵌合凸部
２５    第三嵌合凹部
２７    第三嵌合凸部
２９    金属製板状部材
３１    磁石面部
３３    方眼目盛り
３５    目盛り
３７    検出用印
３９    咬合器
４１    上顎模型
４２    下顎模型
４３    帯状突起
４５    固定材
４７    ネジ孔
４９    金属製板状部材
θ      傾斜角度
Ｘ      左右移動
Ｙ      前後移動
Ｒ      鉛直軸心回転
Ｄ      移動距離
【図１】
2018078962.tif 000003
【図２】
2018078962.tif 000004
【図３】
2018078962.tif 000005
【図４】
2018078962.tif 000006
【図５】
2018078962.tif 000007
【図６】
2018078962.tif 000008
【図７】
2018078962.tif 000009
【図８】
2018078962.tif 000010
【図９】
2018078962.tif 000011
【図１０】
2018078962.tif 000012